(57)【要約】【課題】バグフィルタの摩耗による損傷を防止することができるバグ式集塵機を提供すること。【解決手段】筐体２の内部を区画壁３により上下に区画し、下部を含塵空気導入室４、上部を浄化空気室５とし、区画壁３には多数の筒状のバグフィルタＦを取り付け、含塵空気をバグフィルタＦの下側から導入するバグ式集塵機１において、バグフィルタＦに、バグフィルタＦの下端周部を覆いバグフィルタＦの下方にエア溜まり２４を形成するようにした筒体２０を配設する。【選択図】図１
2008279405.tif 000002
【特許請求の範囲】
【請求項１】
筐体の内部を区画壁により上下に区画し、下部を含塵空気導入室、上部を浄化空気室とし、前記区画壁には多数の筒状のバグフィルタを取り付け、含塵空気をバグフィルタの下側から導入するバグ式集塵機において、前記バグフィルタに、バグフィルタの下端周部を覆いバグフィルタの下方にエア溜まりを形成するようにした筒体を配設したことを特徴とするバグ式集塵機。
【請求項２】
筒体に仕切り板を形成したことを特徴とする請求項１記載のバグ式集塵機。
【請求項３】
バグフィルタの下部に配設したスナップリングによって、筒体を保持するようにしたことを特徴とする請求項１又は２記載のバグ式集塵機。
【発明の詳細な説明】
【技術分野】
【０００１】
本発明は、バグ式集塵機に関し、特に、吊設したバグフィルタの下方から排ガスを導入するバグ式集塵機のバグフィルタの摩耗対策に関するものである。
【背景技術】
【０００２】
一般に家庭用ごみ等を焼却するごみ焼却炉や電気炉等から排出する排ガス中のダストを捕集するためにバグ式集塵機が用いられている。
そして、バグフィルタにダストが多量に付着し、通気抵抗（圧損）が所定の値以上になったとき又は一定時間経過後に、ダストを吹き落とすための逆洗条件を選定し、圧力空気を噴出して逆洗を行う手段が採られている。
【０００３】
このバグ式集塵機１は、図４〜図６に示すように、筐体２の内部を区画壁３により上下に区画し、下部を含塵空気導入室４、上部を浄化空気室５とし、含塵空気導入室４は塵埃発生源（図示省略）に接続し、浄化空気室５は吸引装置７に接続されている。
そして、上記区画壁３には多数の有底筒状のバグフィルタＦ’を区画壁３のバグフィルタ取付穴に配設する取付金具５５に対して、バグフィルタＦ’の上部に内包したスナップリングＳの拡開力によって取り付けるようにしている。
また、バグフィルタＦ’の内部には、バグフィルタＦ’の筒形状を保持するためにバグフィルタ用ケージ５０を配設する。
【０００４】
バグフィルタ用ケージ５０は、図６に示す如く、バグフィルタＦ’の全長に亘る長さを有する多数の支持バー５１と、この支持バー５１を所定径に保持するために中間位置に取り付けられる支持リング５２及び底板５３とを備え、支持バー５１の上端は環状のケージプレート又は逆洗用のベンチュリ５４の下方に取り付けられる。
【０００５】
そして、バグフィルタＦ’の各列毎に、それぞれクリーニング用の洗浄空気供給管８を配備し、それぞれのバグフィルタＦ’内に圧力空気を噴出する圧力空気噴出ノズル９を取り付けるようにしている。
この洗浄空気供給管８は、調整弁１０を介して主圧力空気供給管１１に接続されている。
【０００６】
これにより、常時は、吸引装置７の吸引力によりダスト発生源からのダストを含んだ排ガスは、導入口４ａを介して含塵空気導入室４に導かれ、ダストがバグフィルタＦ’で濾過されて、浄化後の空気が浄化空気室５を介して排出される。
ついで、バグフィルタＦ’の外周面にダストが蓄積し、通気抵抗（圧損）が所定の値以上になったとき又は一定時間経過後に、ダイヤフラム弁等からなる調整弁１０を短時間作動させることにより、主圧力空気供給管１１内の圧力空気を瞬間的に洗浄空気供給管８に流出させ、洗浄空気供給管８の各列毎に配設した圧力空気噴出ノズル９からクリーニング用の洗浄空気をバグフィルタＦ’内に噴出し、バグフィルタＦ’の外周面に付着したダストを吹き落とすようにしている（例えば、特許文献１参照）。
【０００７】
ところで、このバグ式集塵機１に使用されるバグフィルタＦ’は、有底筒状で、含塵空気導入室４に導入される排ガスが下方から導入されるとき、図４に示すように、排ガスの流れは矢符Ｙのように流れ、バグフィルタＦ’の底面及び下部側面に衝突する。
この場合、排ガスの導入口４ａに近いバグフィルタＦ’においては、筐体２の内壁や整流板（図示省略）に当たって、流速の弱まった排ガスが吸引される傾向にありバグフィルタＦ’に排ガスが高速で衝突することが少ないものの、排ガスの導入口４ａから離れた箇所（図５における範囲Ａ近傍域）のバグフィルタＦ’においては、バグフィルタＦ’の底面及び下部側面に対して排ガスが高速で斜め下方向から直撃する傾向にある。
【０００８】
そして、導入される排ガスの性状により程度は異なるものの、排ガス内には多くの粉体が含まれており、その含有粉体によって、特に、直撃を受けやすい排ガスの導入口４ａから離れた箇所に設置されているバグフィルタＦ’の底面及び下部側面が摩耗することとなる。
その結果、バグフィルタＦ’に穴開きが生じ、排ガスがバグフィルタＦ’によって濾過されずに浄化空気室５に流入するといった問題があった。
【特許文献１】特開２００４−３５１３２３号公報
【発明の開示】
【発明が解決しようとする課題】
【０００９】
本発明は、上記従来のバグ式集塵機の有する問題点に鑑み、バグフィルタの摩耗による損傷を防止することができるバグ式集塵機を提供することを目的とする。
【課題を解決するための手段】
【００１０】
上記目的を達成するため、本発明のバグ式集塵機は、筐体の内部を区画壁により上下に区画し、下部を含塵空気導入室、上部を浄化空気室とし、前記区画壁には多数の筒状のバグフィルタを取り付け、含塵空気をバグフィルタの下側から導入するバグ式集塵機において、前記バグフィルタに、バグフィルタの下端周部を覆いバグフィルタの下方にエア溜まりを形成するようにした筒体を配設したことを特徴とする。
【００１１】
この場合において、筒体に仕切り板を形成することができる。
【００１２】
また、バグフィルタの下部に配設したスナップリングによって、筒体を保持するようにすることができる。
【発明の効果】
【００１３】
本発明のバグ式集塵機によれば、バグフィルタに、バグフィルタの下端周部を覆いバグフィルタの下方にエア溜まりを形成するようにした筒体を配設することにより、バグフィルタの下部が保護されるとともに、排ガスの流れをバグフィルタの表面に沿うようにすることができ、バグフィルタの下部への排ガスの直撃を筒体及び筒体によって形成されるエア溜まりによって緩和し、バグフィルタの摩耗による損傷を防止することができる。
【００１４】
また、筒体に仕切り板を形成することにより、仕切り板によってバグフィルタの底面を閉鎖することができる。
【００１５】
また、バグフィルタの下部に配設したスナップリングによって、筒体を保持することにより、バグフィルタの上部を区画壁に配設した取付金具に対して取り付ける方法と同様に簡単な作業で筒体を保持することができる。
【発明を実施するための最良の形態】
【００１６】
以下、本発明のバグ式集塵機の実施の形態を、図面に基づいて説明する。なお、従来装置と同様の構造については同一の符号、一連の符号を付し説明を省略する。
【実施例１】
【００１７】
図１〜図２に、本発明のバグ式集塵機の第１実施例を示す。
【００１８】
このバグ式集塵機１は、従来装置と同様、筐体２の内部を区画壁３により上下に区画し、下部を含塵空気導入室４、上部を浄化空気室５とし、含塵空気導入室４は塵埃発生源（図示省略）に導入口４ａを介して接続し、浄化空気室５は吸引装置７に接続されている。上記区画壁３には多数の筒状のバグフィルタＦを垂下して取り付け、各バグフィルタＦは各列毎にそれぞれクリーニング用の洗浄空気供給管８を配備し、それぞれバグフィルタＦ内に圧力空気を噴出する圧力空気噴出ノズル９を取り付ける。この洗浄空気供給管８は調整弁１０を介して主圧力空気供給管１１に接続されている。
【００１９】
そして、このバグ式集塵機１は、バグフィルタＦの下端周部を覆いバグフィルタＦの下方にエア溜まり２４を形成するとともに中間部に仕切り板２３を備えた金属製の筒状、より具体的には、仕切り板２３を備えた上部筒体２１及び下部筒体２２からなる円筒形状の筒体２０を配設するようにしている。
ここで、筒体２０は、排ガスが直撃するバグフィルタＦの下端周部を覆い、さらに、下方に、バグフィルタＦの直径の０．５〜３倍程度、好ましくは、１．０〜２倍程度の長さを有するように形成することにより、その内側にエア溜まり２４を形成するようにしている。
【００２０】
また、このバグ式集塵機１に使用するバグフィルタＦは、バグフィルタＦの底面が仕切り板２３によって閉鎖されることになるため、上下端とも開放した筒状の布製濾布を使用し、上下端ともに折り返し部を設け、折り返し部（重なり部）に拡開方向の付勢力を及ぼすスナップリングＳを配設するようにしている。
これにより、バグフィルタＦの製作が容易になる利点がある。
【００２１】
バグフィルタＦの上部に配設するスナップリングＳは、従来例と同様、区画壁３のバグフィルタ取付穴に配設する取付金具５５に対して、バグフィルタＦを取り付けるためのものである。
また、バグフィルタＦの下部に配設するスナップリングＳは、図１に示すように、筒体２０を構成する上部筒体２１及び下部筒体２２のうち、仕切り板２３を備えた上部筒体２１の内周面２１ａに当接し、その拡開力によって筒体２０を保持するようにしている。
そして、スナップリングＳが当接する上部筒体２１の内周面２１ａは、上縁部を内側に屈曲させてスナップリングＳの引っ掛かり部を形成することが好ましい。
【００２２】
なお、筒体２０の取付方法は、本実施例のものに限定されず、含塵空気がバグフィルタＦによって濾過されることなく浄化空気室５に直接侵入することを防止するように取り付けられていればよく、例えば、ステンレススチール製の固定バンド等の任意の固定具を用いて筒体２０の外周側から布製濾布を取り付けるようにしてもよい。
【００２３】
筒体２０は、図１（ａ）に示すように、仕切り板２３を備えた上部筒体２１の底面、すなわち、仕切り板２３の底面に、下部筒体２２を溶接によって固着し、一体化するようにしている。
なお、筒体２０は、図１（ｂ）に示すように、仕切り板２３を備えた上部筒体２１を下部筒体２２内に嵌め込んだ後に溶接によって固着し、一体化することもでき、その形状及び製作方法は、実施例のものに限定されるものではない。
この場合、筒体２０の外径は、バグフィルタＦの外径とほぼ等しいものとすることが好ましい。
【００２４】
上記構成において、バグ式集塵機１の下方に配設した導入口４ａから含塵空気導入室４に導入された排ガスの流れは、図２に示すように、排ガスの導入口４ａから離れた箇所（図５における範囲Ａ）の下方において、従来と同様のＸ方向に流れるものの、排ガスは、バグフィルタＦの下端周部に配設した筒体２０に当たり、その流れの方向がバグフィルタＦの表面に沿ったＸ’の向きに整流される。
【００２５】
また、筒体２０の内面に流れ込んでくる排ガスがあっても、バグフィルタＦの底面は仕切り板２３によって覆われているから、矢符Ｒで示すように、仕切り板２３の底面に当たった後に下方に戻され、濾過されることなく排ガスが浄化空気室５に流れ込むことはない。
これによって、バグフィルタＦの下部に排ガスが斜めから直撃することはなく、バグフィルタＦの摩耗による損傷を防止することができる。
【実施例２】
【００２６】
図３に、本発明のバグ式集塵機の第２実施例を示す。
【００２７】
このバグ式集塵機１は、実施例１と同様の構成からなり、バグフィルタＦの下端周部に取り付ける筒体２０を、図３に示すように、筒体２０の中間部の内周面に仕切り板２３を溶接によって固着するようにしている。
【００２８】
そして、このバグ式集塵機１では、バグフィルタＦの下部に配設するスナップリングＳを筒体２０の上部の内周面２０ａに当接させて、仕切り板２３を取り付けた筒体２０をバグフィルタＦに保持するようにしている。
そして、スナップリングＳが当接する筒体２０の内周面２０ａは、上縁部を内側に屈曲させてスナップリングＳの引っ掛かり部を形成することが好ましい。
【００２９】
これによって、筒体２０の中間部の内周面に仕切り板２３を溶接によって固着するとともに、筒体２０の上縁部を内側に屈曲させる加工を施すことによって、筒体２０を簡単に製造することができる。
【００３０】
なお、本実施例のその他の構成及び作用は、上記第１実施例と同様である。
【００３１】
ところで、上記各実施例においては、筒体２０に仕切り板２３を取り付けるようにしたが、有底筒状のバグフィルタを使用する場合には、仕切り板２３を省略することもできる。なお、仕切り板２３を省略しても、筒体２０によって、バグフィルタの下端周部が保護されるとともに、排ガスの流れをバグフィルタの表面に沿うようにすることができ、バグフィルタの下部への排ガスの直撃を筒体２０及び筒体２０によって形成されるエア溜まり２４によって緩和し、バグフィルタの摩耗による損傷を防止することができる。
また、筒体２０（及び仕切り板２３）は、本実施例に記載した金属製のもののほか、合成樹脂製やＦＲＰ製のものを用いることもできる。
【００３２】
以上、本発明のバグ式集塵機について、実施例に基づいて説明したが、本発明は上記実施例に記載した構成に限定されるものではなく、その趣旨を逸脱しない範囲において適宜その構成を変更することができるものである。
なお、上記実施例においては、図２に示すように、すべてのバグフィルタＦにバグフィルタＦの下端周部を覆いバグフィルタＦの下方にエア溜まり２４を形成するようにした筒体２０を配設するようにしたが、バグフィルタＦの底面及び下部側面に対して排ガスが高速で斜め下方向から直撃しやすい箇所（例えば、図５における範囲Ａ近傍域）のバグフィルタＦのみに筒体２０を配設するようにすることもでき、本発明はこれを排除するものでない。
【産業上の利用可能性】
【００３３】
本発明のバグ式集塵機は、バグフィルタの摩耗による損傷を防止することができるという特性を有していることから、排ガスの流速が速いバグ式集塵機に好適に用いることができるほか、一般のバグ式集塵機にも広く用いることができる。
【図面の簡単な説明】
【００３４】
【図１】本発明のバグ式集塵機に使用するバグフィルタの第１実施例を示し、（ａ）は一部断面の正面図、（ｂ）は筒体の変形例を示す一部断面の正面図である。
【図２】本発明のバグ式集塵機の一部断面の正面図である。
【図３】本発明のバグ式集塵機に使用するバグフィルタの第２実施例を示す一部断面の正面図である。
【図４】従来のバグ式集塵機の一部断面の正面図である。
【図５】図４のＺ−Ｚ断面図を示す。
【図６】従来のバグ式集塵機に使用するバグフィルタを示す一部断面の正面図である。
【符号の説明】
【００３５】
１    バグ式集塵機
２    筐体
３    区画壁
４    含塵空気導入室
５    浄化空気室
２０  筒体
２１  上部筒体
２２  下部筒体
２３  仕切り板
Ｆ    バグフィルタ
Ｓ    スナップリング
【図１】
2008279405.tif 000003
【図２】
2008279405.tif 000004
【図３】
2008279405.tif 000005
【図４】
2008279405.tif 000006
【図５】
2008279405.tif 000007
【図６】
2008279405.tif 000008